(57)【特許請求の範囲】
【請求項１】
苺のランナーを挟み固定できる割穴と吊り下げ用のフックを備えたホルダーを半割可能にし、半割部は、開閉自在に出来るようにした当該ホルダーにて、苺の親株から発生するランナーを切らずに直接ランナー付きの苗をポットに植え込み、ランナー付き苗が植え込まれたポットを当該ホルダーにて挟み固定すると同時に当該ホルダーの割穴にてランナーをも挟み固定し、空中に吊り下げ用のフックを利用して吊るし、苗の増殖と安定した発根を促すことを特徴とするポット利用の空中育苗における苗増殖装置。
【請求項２】
ポットを半割可能にし半割部は開閉自在にし苺のランナーを割穴にて挟み固定できる割穴と吊フックを備えたポット利用の植物育成装置において、苺の親株から発生するランナーを切らずに当該ポットにランナー付き苗を植え込み固定と同時に当該ポットの割穴にてランナーをも挟み固定し、吊りフックにて空中に吊るし苗の増殖と安定した発根を促すことを特徴とするポット利用の空中育苗における苗増殖装置。
【発明の詳細な説明】
【０００１】
【産業上の利用分野】
本発明はポット利用の苗増殖装置に係わり、特に苺のランナー増殖時において作業効率の良好な面、ポットへの移植の時点での安定した発根よさ、病気対策、大量生産性に関する。
【０００２】
【従来の技術】
従来の苺のランナーによる苗増殖の技術は、親株を直接畑に植えてランナーをその畑にて増殖させる方法をとり、そのランナーを育苗箱や、単体のポットや、連結のポットに植えたりしている、水耕栽培においては、１９８６年１１月発行の養液栽培の新技術（誠文堂新光社）にも多少記述されているようにＮＦＴなど高床の苺のベット上で子株を採取したり、高床のベットから空中にぶら下がった苗を採取して苗を箱又はロックウールに直接植えたりする程度であった。
【０００３】
【発明が解決しようとする課題】
従来の苗のランナー採取による苗増殖の方法は土耕栽培においては平面上に畑に並べ植え込みをしていた、また水耕栽培の育苗においても平面や多段式の棚に並べるなどの方法をとるなどし空間利用が成されていなかった。特に根が未発根の苗を植えた際に、天候にあまり影響を受けずに安定した発根をさせる装置に関する。
【０００４】
【課題を解決するための手段】
上記目的を達成する為に特願平７−１０８９４３の発明の半割可能にし、且つ穿孔部挿入用落下防止部を備え、また蔓性植物の蔓挾み込み用割穴を有し、吊り用吊りフックと側面に発根溝を備えたポット、この発明の半割可能にしたポットと当発明の苺のランナーを挾み固定できる割穴と穿孔部落下防止部と吊り下げ用のフックを備えたホルダーを半割可能にし、半割部は、開閉自在に出来るようにした当該発明のホルダーとを利用し苺のランナーを切らずに吊り下げ用のフックとランナーを挾み込める割穴を利用して空中に吊り下げ保持し安定した発根スピードを上げ量産体制を図る。
【０００５】
【作用】
当該発明の構成は苺のランナーを切らずにポットにより空中に吊り下げ保持する方法は従来のランナーを切り取ってからの育苗と違い確実な発根をもたらす、尚且つ空中を利用するため、量産体制は勿論のこと、病気対策にもなる。又当発明の苺のランナーを挾み固定できる割穴と穿孔部落下防止部と吊り下げ用のフックを備えたホルダーを半割可能にし、半割部は、開閉自在に出来るようにした当該発明のホルダーは、苺だけでなく、いろいろな植物に利用でき、又土耕栽培や水耕栽培のポット利用栽培に使用できる。
【０００６】
【実施例】
以下、本発明の実施例を図１、図２、図３、図４、図５、図６、図７、図８、図９、図１０、図１１に基図いて詳述する。
図１はポット１に植え込まれた親株２より発生したランナー付き苗７をポット６に植え込み、当該発明の半割部開閉自在にして且つランナー固定用割穴、吊り用フック１１を備えた当該発明のホルダー１０にポット６を挾むと同時に親株から発生したランナー３を切らずに挾み固定し吊り用フック１１にて杭５と線４とにより構成した柵の線に吊るした空中育苗の模式図。
図２はポット１に植え込まれた親株２より発生したランナー付き苗７をポット６に植え込み、当該発明の半割部開閉自在にして且つランナー固定用割穴、吊りフック１１を備えた当該発明のホルダー１０にポット６を挾むと同時に親株から発生したランナー３を切らずに挾み固定し吊リフック１１にて、高床の棚８の側面に網９をはり、網９の目会いに吊るした空中育苗の模式図。
図３は半割部開閉自在にし止メ部１４を付けランナー固定用割穴１２、吊りフック１１、ヒンジ状結合部１６、穿孔部落下防止部１３を備えた当該発明のホルダーの模式図。
図４は図３の当該発明のホルダーにてポット６を挾み込んだ模式図。
図５は図３の当該発明のホルダーにてランナー付き苗７を植えたポット６挾み固定すると同時にランナー３をもランナー固定用割穴１２にて挾み固定した模式図。
図６は図３の吊りフックを線又はパイプに嵌め込み用クリップ１５に替えた当該発明の模式図。
図７は図４の吊りフック１１を線又はパイプに嵌め込み用クリップ１５に替えた当該発明の模式図。
図８は図５の吊りフック１１を線又はパイプに嵌め込み用クリップ１５に替えた当該発明の模式図。
図９は図３の吊りフック１１を掴み固定するハサミ１７に替えた当該発明の模式図。
図１０は図４の吊りフック１１を掴み固定するハサミ１７に替えた当該発明の模式図。
図１１は図５の吊りフック１１を掴み固定するハサミ１７に替えた当該発明の模式図。
【０００７】
【実施例】
本発明の実施例を図１２、図１３、図１４、図１５、図１６、図１７、図１８、図１９に基ずいて詳述する。
図１２はポット１８に植えた親株１９より発生したランナー付き苗２３を、特願平７−１０８９４３発明の半割可能にして苺のランナーを割穴にて挾み固定出来る割穴と穿孔部挿入用落下防止部と吊りフックを備へ半割可能にしたポット２４に、ランナー２０を切らずに割穴に挾み固定し、同時にランナー付き苗２３を植え固定し吊りフック２５にて、杭２２と線２１とにより構成した棚の線２１に吊るした空中育苗の模式図。
図１３はポット１８に植え込まれた親株１９より発生したランナー付き苗２３を、特願平７−１０８９４３発明の半割可能にしたポット２４に、ランナー２０を切らずに割穴に挾み固定しながらランナー付き苗２３を植え込み固定し吊りフック２５にて、高床の棚２６の側面に網２７をはり、網２７の目会いに吊るした空中育苗の模式図。
図１４は特願平７−１０８９４３発明の、ポットを半割可能にし植物の蔓固定用割穴２８、穿孔部落下防止部２９、吊り下げ用のフック２５を備えたポットの模式図。
図１５は図１４の半割可能にしたポットにてランナー付き苗２３を植え同時にランナー２０をも蔓固定用割穴２８にて挾み固定した模式図。
図１６は図１４の吊りフック２５を線又はパイプに嵌め込み用クリップ３０に替えた当該発明の模式図。
図１７は図１５の吊りフック２５を線又はパイプに嵌め込み用クリップ３０に替えた当該発明の模式図。
図１８は図１４の吊りフック２５を、掴み固定するハサミ３１に替えた当該発明の模式図。
図１９は図１５の吊りフック２５を、掴み固定するハサミ３１にかえた当該発明の模式図。
【０００８】
【発明の効果】
本発明に依れば次の様な効果を得る。ランナーを挾み固定する割穴、吊るための吊りフックを備えたポットを半割可能にし開閉自在にしたり又は、苗を植えたポットを半割可能にした開閉自在のホルダーにて、苺のランナーを切らずにランナーごと挾み固定することにより、苺の苗を増殖する際の天候に係わらずに安定した発根を促し、苗の増殖を図れる。又吊り用フックを利用し空中に吊ることにより、作業能率、苗の量産体制を図れる、又苗を土の上に降ろさないために病気対策にも成る。これら効果をもたらす。
【図面の簡単な説明】
【図１】当該発明の半割開閉自在のホルダー利用の線利用の棚の空中育苗の模式図。
【図２】当該発明の半割開閉自在のホルダー利用の網利用の高床の棚の空中育苗の模式図。
【図３】当該発明のホルダーの模式図。
【図４】当該発明のホルダーにポットを挾んだ模式図。
【図５】当該発明のホルダーで苺の苗を植えたポットを挾んだ模式図。
【図６】当該発明のホルダーの嵌め込み用クリップ付き模式図。
【図７】当該発明のホルダーでポットを挾んだ嵌め込み用クリップ付き模式図。
【図８】当該発明のホルダーに嵌め込み用クリップ付きにて苺を植えたポットを挾んだ模式図。
【図９】当該発明のホルダーに掴み固定するハサミを付けた模式図。
【図１０】当該発明のホルダーにポットを挾み掴み固定するハサミを付けた模式図。
【図１１】当該発明のホルダーに掴み固定するハサミを付け苺を植えたポットを挾んだ模式図。
【図１２】半割可能にしたポットに苺のランナーを切らずに挾み固定し線利用の棚の空中育苗の模式図。
【図１３】半割可能にしたポットに苺のランナーを切らずに挾み固定し高床の網の目会いに吊るした空中育苗の模式図。
【図１４】半割可能にしたポットの模式図。
【図１５】半割可能にしたポットに苺の苗を挾み固定した模式図。
【図１６】半割可能にしたポットにパイプ嵌め込み用クリップを付けた模式図。
【図１７】半割可能にしたポットにパイプ嵌め込み用クリップを付けた模式図。
【図１８】半割可能にしたポットに掴み固定するハサミを付けた模式図。
【図１９】半割可能にしたポットに苺の苗を挾み固定し掴み固定するハサミを付けた模式図。
【符号の説明】
１・・ポット、２・・苺の親株、３・・ランナー、４・・線、５・・杭、６・・ポット、７・・ランナー付き苗、８・・高床の棚、９・・網、１０・・ホルダー、１１・・フック、１２・・割穴、１３・・穿孔部落下防止部、１４・・止メ部、１５・・クリップ、１６・・ヒンジ状結合部、１７・・ハサミ、１８・・ポット、１９・・苺の親株  ２０・・ランナー、２１・・線、２２・・杭、２３・・ランナー付き苗、２４・・半割可能にしたポット、２５・・フック、２６・・高床の棚、２７・・網、２８・・割穴、２９・・穿孔部落下防止部、３０・・クリップ、３１・・ハサミ
【図１】
0003757241.tif 000002
【図２】
0003757241.tif 000003
【図３】
0003757241.tif 000004
【図４】
0003757241.tif 000005
【図５】
0003757241.tif 000006
【図６】
0003757241.tif 000007
【図７】
0003757241.tif 000008
【図８】
0003757241.tif 000009
【図９】
0003757241.tif 000010
【図１０】
0003757241.tif 000011
【図１１】
0003757241.tif 000012
【図１２】
0003757241.tif 000013
【図１３】
0003757241.tif 000014
【図１４】
0003757241.tif 000015
【図１５】
0003757241.tif 000016
【図１６】
0003757241.tif 000017
【図１７】
0003757241.tif 000018
【図１８】
0003757241.tif 000019
【図１９】
0003757241.tif 000020